【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
放射線検出装置であって、
放射線撮影によって放射線発生装置から照射された放射線に応じた電荷に基づく放射線画像データを得るための複数の画素と、
前記複数の画素に対して前記放射線撮影のための制御を行う制御手段と、
前記放射線画像データとは別に前記複数の画素から得られた情報及び前記複数の画素とは別に設けられた放射線検知センサから得られた情報の少なくとも一方を閾値と比較することにより、前記複数の画素に前記放射線の照射が開始されたか否かの検知を行う検知手段と、を有し、
前記検知手段は、前記制御手段があるひとつの放射線画像データを得るための前記放射線撮影のための制御を行っている期間において、前記閾値を変えることにより前記検知の感度を変えて前記検知を行い、
前記制御手段は、前記検知に応じて、前記複数の画素に前記電荷を蓄積させることを特徴とする放射線検出装置。
【請求項２】
前記複数の画素にバイアス配線を介してバイアス電圧を供給するバイアス電源を更に有し、
前記情報は、前記バイアス配線に流れるバイアス電流の変化の情報に基づくことを特徴とする請求項１に記載の放射線検出装置。
【請求項３】
前記バイアス電流の変化の情報は、前記バイアス電流の値を所定期間で積分した値によって表されることを特徴とする請求項２に記載の放射線検出装置。
【請求項４】
前記放射線検出装置に対して制御信号を送信することで前記放射線検出装置の制御を行う制御装置からの前記制御信号を受信する通信手段を更に含み、
前記検知手段は、前記放射線の撮影のための制御のうちの前記放射線撮影のための準備の完了を確認した場合に、前記検知の感度を第１の検出能に切り替え、前記複数の画素から得られた情報に基づいて前記放射線を検出する時点まで該第１の検出能を維持し、
前記第１の検出能は、他の期間における前記検知の感度より高いことを特徴とする請求項１乃至３のいずれか１項に記載の放射線検出装置。
【請求項５】
前記検知手段は、前記通信手段により受信された前記制御信号に基づいて前記放射線検出装置への検出準備の開始の指示を確認した場合に、前記検知の感度を第２の検出能に切り替え、前記放射線撮影のための準備の完了を確認する時点まで該第２の検出能を維持し、
前記第２の検出能は、前記第１の検出能より前記検知の感度が低いことを特徴とする請求項４に記載の放射線検出装置。
【請求項６】
前記検知手段は、前記検知の感度を前記第２の検出能に切り替えてから、前記放射線撮影のための準備の完了を確認せずに所定の時間が経過した場合に、前記検知の感度を第３の検出能に切り替え、
前記第３の検出能は前記第２の検出能より前記検知の感度が低いことを特徴とする請求項５に記載の放射線検出装置。
【請求項７】
前記検知手段は、前記放射線検出装置に電源が投入されたことを確認した場合に、前記検知の感度を第３の検出能に切り替え、前記放射線検出装置への検出準備の開始の指示を確認する時点まで該第３の検出能を維持し、
前記第３の検出能は前記第２の検出能より前記検知の感度が低いことを特徴とする請求項５に記載の放射線検出装置。
【請求項８】
前記検知手段は、前記検知の感度を前記第２の検出能に切り替えてから、前記通信手段により受信された前記制御信号に基づいて撮影終了を確認した場合に、前記検知の感度を第３の検出能に切り替え、
前記第３の検出能は前記第２の検出能より前記検知の感度が低いことを特徴とする請求項５に記載の放射線検出装置。
【請求項９】
前記検知手段が前記第３の検出能で前記検知の感度を維持している間に前記複数の画素より得られた画像データを保存する保存手段と、
前記保存手段により保存された前記画像データが前記放射線発生装置から照射された前記放射線に応じた前記放射線画像データであるか否かを判定する判定手段を更に有し、
前記判定手段により前記画像データが前記放射線発生装置から照射された放射線により得られたデータであると判定された場合に、前記通信手段は前記制御装置に該画像データを送信することを特徴とする請求項６乃至８のいずれか１項に記載の放射線検出装置。
【請求項１０】
前記判定手段により、前記画像データが前記放射線画像データでないと判定された場合に、ユーザによる指示があることを条件に前記通信手段は前記制御装置に前記画像データを送信することを特徴とする請求項９に記載の放射線検出装置。
【請求項１１】
前記放射線の撮影のための制御は、前記放射線撮影のための準備を行う準備制御と、前記準備のための動作が完了した後に前記検知手段が前記検知を行う検知制御と、前記検知手段による前記複数の画素に前記放射線の照射が開始されたことの検知に応じて前記放射線に応じた電気信号を前記複数の画素に蓄積する蓄積制御と、前記複数の画素を駆動することにより前記複数の画素から読み出された前記電気信号に基づく前記放射線画像データを得る読み出し制御と、を含み、
前記検知手段は、前記放射線の撮影のための制御のうち前記検知制御の際に前記検知の感度が最も高くなるように、前記検知の感度を切り替えることを特徴とする請求項１乃至１０のいずれか１項に記載の放射線検出装置。
【請求項１２】
前記検知手段は、前記複数の画素から得られた情報を前記閾値と比較することにより前記検知を行うことを特徴とする請求項１乃至１１のいずれか１項に記載の放射線検出装置。
【請求項１３】
前記検知の感度は、前記閾値を高くすることによって低くなり、前記閾値を低くすることによって高くなることを特徴とする請求項１２に記載の放射線検出装置。
【請求項１４】
前記検知手段は、前記通信手段により制御装置から受信された制御信号に基づいて、前記検知の感度を変えて前記検知の機能を停止することを特徴とする請求項４乃至１０のいずれか１項に記載の放射線検出装置。
【請求項１５】
請求項４乃至１０のいずれか１項に記載の放射線検出装置と、
前記放射線検出装置に前記制御信号を送信する前記制御装置と、
を有することを特徴とする放射線撮影装置。
【請求項１６】
放射線発生装置をさらに有することを特徴とする請求項１５に記載の放射線撮影装置。
【請求項１７】
放射線撮影によって放射線発生装置から照射された放射線に応じた電荷に基づく放射線画像データを得るための複数の画素と、前記放射線画像データとは別に前記複数の画素から得られた情報及び前記複数の画素とは別に設けられた放射線検知センサから得られた情報の少なくとも一方を閾値と比較することにより、前記複数の画素に前記放射線の照射が開始されたか否かの検知を行う検知手段と、前記複数の画素に対して前記放射線撮影のための制御を行う制御手段と、を含む放射線検出装置の制御方法であって、
前記制御手段があるひとつの放射線画像データを得るための前記放射線撮影のための制御を行っている期間において、前記閾値を変えることにより前記検知の感度を変えて前記検知を行う工程と、
前記制御手段が、前記検知に応じて、前記複数の画素に前記電荷を蓄積させる工程と、を有することを特徴とする放射線検出装置の制御方法。
【請求項１８】
請求項１７に記載の放射線検出装置の制御方法の各工程をコンピュータに実行させるためのプログラム。
【手続補正２】
【補正対象書類名】明細書
【補正対象項目名】０００８
【補正方法】変更
【補正の内容】
【０００８】
そこで本発明の一実施形態に係る放射線検出装置は、放射線撮影によって放射線発生装置から照射された放射線に応じた電荷に基づく放射線画像データを得るための複数の画素と、前記複数の画素に対して前記放射線撮影のための制御を行う制御手段と、前記放射線画像データとは別に前記複数の画素から得られた情報及び前記複数の画素とは別に設けられた放射線検知センサから得られた情報の少なくとも一方を閾値と比較することにより、前記複数の画素に前記放射線の照射が開始されたか否かの検知を行う検知手段と、を有し、前記検知手段は、前記制御手段があるひとつの放射線画像データを得るための前記放射線撮影のための制御を行っている期間において、前記閾値を変えることにより前記検知の感度を変えて前記検知を行い、前記制御手段は、前記検知に応じて、前記複数の画素に前記電荷を蓄積させることを特徴とする。
【手続補正３】
【補正対象書類名】明細書
【補正対象項目名】０００９
【補正方法】変更
【補正の内容】
【０００９】
本発明のその他の実施形態に係る放射線検出装置の制御方法は、放射線撮影によって放射線発生装置から照射された放射線に応じた電荷に基づく放射線画像データを得るための複数の画素と、前記放射線画像データとは別に前記複数の画素から得られた情報及び前記複数の画素とは別に設けられた放射線検知センサから得られた情報の少なくとも一方を閾値と比較することにより、前記複数の画素に前記放射線の照射が開始されたか否かの検知を行う検知手段と、前記複数の画素に対して前記放射線撮影のための制御を行う制御手段と、を含む放射線検出装置の制御方法であって、前記制御手段があるひとつの放射線画像データを得るための前記放射線撮影のための制御を行っている期間において、前記閾値を変えることにより前記検知の感度を変えて前記検知を行う工程と、前記制御手段が、前記検知に応じて、前記複数の画素に前記電荷を蓄積させる工程と、を有することを特徴とする。